(57)【要約】【課題】配布情報を一方から他方の携帯端末へ送信する機密性を向上する。【解決手段】送信先リストを保存し、挿入されたＳＩＭカードのＳＩＭ情報を付加した配布情報を保存し、配布情報を受け取りたい旨の依頼の通知を受信し依頼を拒否する場合には依頼先を送信先に追加保存しないように規制し、送信先リストに保存された送信先に配布情報を送信する一方の携帯端末101と、一方の携帯端末のＳＩＭカードのＳＩＭ情報を登録し、一方の携帯端末から配布情報を受信し、受信した配布情報及び自己の配布情報を保存し、一方の携帯端末に配布情報を受け取りたい旨の依頼の通知を送信し、受信した配布情報に付加された携帯端末のＳＩＭカードのＳＩＭ情報と登録した一方の携帯端末のＳＩＭカードのＳＩＭ情報を比較し、合致しない場合には一方の携帯端末以外の他の携帯端末103に配布情報を送信しないように規制する他方の携帯端末102とを備える。【選択図】図３
2009171267.tif 000002
【特許請求の範囲】
【請求項１】
基地局を介する情報配布を規制する情報配布規制システムにおいて、
送信先リストを保存し、挿入されたＳＩＭカードのＳＩＭ情報を付加した配布情報を保存し、配布情報を受け取りたい旨の依頼の通知を受信し依頼を拒否しない場合には依頼先を前記送信先リストに追加保存し、依頼を拒否する場合には依頼先を前記送信先に追加保存しないように規制し、前記送信先リストに保存された送信先に配布情報を送信する一方の携帯端末と、
前記一方の携帯端末のＳＩＭカードのＳＩＭ情報を登録し、前記一方の携帯端末から配布情報を受信し、受信した配布情報及び自己の配布情報を保存し、前記一方の携帯端末に配布情報を受け取りたい旨の依頼の通知を送信し、受信した配布情報に付加された携帯端末のＳＩＭカードのＳＩＭ情報と登録した前記一方の携帯端末のＳＩＭカードのＳＩＭ情報を比較し、合致する場合には前記一方の携帯端末以外の他の携帯端末に配布情報を送信し、合致しない場合には前記一方の携帯端末以外の他の携帯端末に配布情報を送信しないように規制する他方の携帯端末とを備え、
前記一方の携帯端末では依頼先を前記送信先リストに追加保存する場合には前記他方の携帯端末に挿入されたＳＩＭカードのＳＩＭ情報を追加保存することを特徴とする情報配布規制システム。
【請求項２】
挿入されたＳＩＭカードのＳＩＭ情報を付加した前記配布情報はスケジュールを含むことを特徴とする、請求項１に記載の情報配布規制システム。
【請求項３】
基地局を介する情報配布を規制する情報配布規制方法において、
一方の携帯端末の送信先リストを保存し、前記一方の携帯端末に挿入されたＳＩＭカードのＳＩＭ情報を付加した配布情報を保存する工程と、
前記一方の携帯端末のＳＩＭカードのＳＩＭ情報を他方の携帯端末に登録する工程と、
前記一方の携帯端末から前記他方の携帯端末に配布情報を受信し、受信した配布情報及び自己の配布情報を保存する工程と、
受信した配布情報に付加された携帯端末のＳＩＭカードのＳＩＭ情報と登録した前記一方の携帯端末のＳＩＭカードのＳＩＭ情報を比較し、合致する場合には前記一方の携帯端末以外の他の携帯端末に配布情報を送信し、合致しない場合には前記一方の携帯端末以外の他の携帯端末に配布情報を送信しないように規制する工程と、
前記他方の携帯端末から前記一方の携帯端末に配布情報を受け取りたい旨の依頼通知を送信する工程と、
前記一方の携帯端末では、配布情報を受け取りたい旨の依頼の通知を受信し依頼を拒否しない場合に依頼先として前記他方の携帯端末のＳＩＭカードのＳＩＭ情報を前記送信先リストに追加保存し、依頼を拒否する場合に依頼先を前記送信先に追加保存しないように規制する工程とを備えることを特徴とする情報配布規制方法。
【請求項４】
挿入されたＳＩＭカードのＳＩＭ情報を付加した前記配布情報はスケジュールを含むことを特徴とする、請求項３に記載の情報配布規制方法。
【請求項５】
基地局を介する情報配布を規制する情報配布規制プログラムにおいて、
一方の携帯端末の送信先リストを保存し、前記一方の携帯端末に挿入されたＳＩＭカードのＳＩＭ情報を付加した配布情報を保存する手順と、
前記一方の携帯端末のＳＩＭカードのＳＩＭ情報を他方の携帯端末に登録する手順と、
前記一方の携帯端末から前記他方の携帯端末に配布情報を受信し、受信した配布情報及び自己の配布情報を保存する手順と、
受信した配布情報に付加された携帯端末のＳＩＭカードのＳＩＭ情報と登録した前記一方の携帯端末のＳＩＭカードのＳＩＭ情報を比較し、合致する場合には前記一方の携帯端末以外の他の携帯端末に配布情報を送信し、合致しない場合には前記一方の携帯端末以外の他の携帯端末に配布情報を送信しないように規制する手順と、
前記他方の携帯端末から前記一方の携帯端末に配布情報を受け取りたい旨の依頼通知を送信する手順と、
前記一方の携帯端末では、配布情報を受け取りたい旨の依頼の通知を受信し依頼を拒否しない場合に依頼先として前記他方の携帯端末のＳＩＭカードのＳＩＭ情報を前記送信先リストに追加保存し、依頼を拒否する場合に依頼先を前記送信先に追加保存しないように規制する手順とを備えることを特徴とする情報配布規制プログラム。
【請求項６】
挿入されたＳＩＭカードのＳＩＭ情報を付加した前記配布情報はスケジュールを含むことを特徴とする、請求項５に記載の情報配布規制プログラム。
【請求項７】
基地局を介する情報配布を規制する携帯端末において、
一方の携帯端末から他方の携帯端末に配布情報を送信するために前記他方の携帯端末に挿入されたＳＩＭカードのＳＩＭ情報を送信先リストとして保存し、配布情報を受け取りたい旨の依頼の通知を受信し依頼を拒否しない場合には依頼先を前記送信先リストに追加保存し、依頼を拒否する場合には依頼先を前記送信先に追加保存しないように規制する送信先リストメモリと、
前記一方の携帯端末から前記他の携帯端末に受信した配布情報を保存し、さらに、前記他の携帯端末の自己の配布情報を保存する情報データ管理メモリと、
前記他方の携帯端末では前記一方の携帯端末のＳＩＭカードのＳＩＭ情報を登録し、前記一方の携帯端末から前記他の携帯端末に送信される配布情報に前記一方の携帯端末のＳＩＭカードのＳＩＭ情報を付加し、前記情報データ管理メモリに保存される前記他の携帯端末の配布情報に前記他の携帯端末のＳＩＭカードのＳＩＭ情報を付加し、前記他の携帯端末から前記一方の携帯端末に配布情報を受け取りたい旨の依頼の通知を送信し、配布情報を受け取りたい旨の依頼の通知を受信し依頼を拒否しない場合には依頼先を前記送信先リストメモリに追加保存し、依頼を拒否する場合には依頼先を前記送信先として追加保存しないように規制し、受信した配布情報に付加された携帯端末のＳＩＭカードのＳＩＭ情報と登録した前記一方の携帯端末のＳＩＭカードのＳＩＭ情報を比較し、合致する場合には前記一方の携帯端末以外の他の携帯端末に配布情報を送信し、合致しない場合には前記一方の携帯端末以外の他の携帯端末に配布情報を送信しないように規制する情報配布規制部とを備えることを特徴とする携帯端末。
【請求項８】
挿入されたＳＩＭカードのＳＩＭ情報を付加した前記配布情報はスケジュールを含むことを特徴とする、請求項７に記載の携帯端末。
【発明の詳細な説明】
【技術分野】
【０００１】
本発明は機密性の高い情報管理を行う情報配布規制システムに関する。特に、本発明は、二次配布規制及び配信先規制により配布情報の機密性を確保可能とする情報配布規制システム、方法、プログラム及び携帯端末に関する。
【背景技術】
【０００２】
従来、通信機器使用者固有の情報を付加する技術として、携帯電話にダウンロードした画像等の取得者情報として、携帯電話に挿入されたＳＩＭカードのＳＩＭ情報を付加して、取得者以外が所有する通信機器へ二次配布されたとしても閲覧できないという方法は既に実現されており、広く利用されていることは周知である。
図６は本発明の前提となるスケジュール配布規制システムの概念を説明する図である。なお、全図を通じて同一の構成要素には同一の番号、符号を付す。本図に示すように、本発明の前提となるスケジュール配布規制システムにおいて、一方の携帯端末１０１から使用者固有情報を他方の携帯端末１０２に一次配布する際に、一方の携帯端末１０１の使用者のＳＩＭ情報が付加されていると使用者固有情報の他方の携帯端末１０２から第三者の他の携帯端末１０３への二次配布を禁止することにより、一方の携帯端末１０１の使用者のＳＩＭ情報をもたない第三者の他の携帯端末１０３に他方の携帯端末１０２から使用者固有情報を配布しようとしても送信できないので、一方の携帯端末１０１と他方の携帯端末１０２との間の使用者固有情報の第三者への配布が防止できるものがある（例えば、特許文献１参照）。
【０００３】
しかしながら、上記特許文献１では、他方の携帯端末１０２から一方の携帯端末１０１へ使用者固有情報を受信するという通知があるだけで、スケジュールデータを一方の携帯端末１０１から他方の携帯端末１０２へ勝手に送信する仕組みとなっており、機密性が不足していたという問題点がある。
このような本発明の前提となるスケジュール配布規制に関連して以下のような従来の技術がある。
【０００４】
従来、デジタル情報の伝送において、デジタルデータの作者やデータ配信サービス提供者がデータの二次配布に制限を加えることができるようにすることを目的とし、データに二次配布に関する制約項目が記述された二次配布情報を付加し、データ送受信装置内ではデータの一部または全部を二次配布する際に二次配布情報処理部が二次配布情報に記述されている制約項目を調べ、二次配布が許可されていると判断した場合のみ二次配布をおこない、二次配布情報にはデータの著作者に関する情報、データの二次配布を許可するかどうかについての時間的制約、データの二次配布を許可する回数に関する記述を含むものがある（例えば、特許文献２参照）。
【０００５】
しかしながら、上記特許文献２では、データに二次配布に関する制約項目が記述された二次配布情報を付加するものであるが、制約項目は携帯電話に挿入されるＳＩＭカードのＳＩＭ情報を用いるものではなく、さらに、他方の携帯端末から一方の携帯端末へ使用者固有情報を受信するという通知があるだけで、スケジュールデータを一方の携帯端末から他方の携帯端末へ勝手に送信する仕組みによる機密性が不足していたという問題点を解決するものではない。
【０００６】
また、従来、加入者カードが装着されて動作する携帯電話機において、他人の加入者カードが装着されたときに内部情報の流出を防止するため、ＳＩＭカードが設定された後、電源がオン状態にされたとき、任意のＳＩＭカードが装着されて通常動作を行うように設定されていれば、通常動作が行われ、一方、許可された加入者のＳＩＭカードが装着されているときにのみ通常動作を行うように設定されている状態で、同ＳＩＭカードが装着されたとき、ＳＩＭカードの加入者識別データがＳＩＭで読み取られ、同加入者識別データが記憶部に記憶されている加入者識別データと一致するか否かが検出され、これらの加入者識別データが一致したとき、通常動作が行われ、また、加入者識別データが一致しないとき、携帯電話機は動作せず、記憶部に記憶されている情報が他人に読み出されることはないものもある（例えば、特許文献３参照）。
【０００７】
しかしながら、上記特許文献３では、他人の加入者カードが装着されたときに内部情報の流出を防止するものであるが、他方の携帯端末から一方の携帯端末へ使用者固有情報を受信するという通知があるだけで、スケジュールデータを一方の携帯端末から他方の携帯端末へ勝手に送信する仕組みによる機密性が不足していたという問題点を解決するものではない。
【０００８】
【特許文献１】特願２００７−１９５９４４号公報
【特許文献２】特開２００１−１６７０１６号公報
【特許文献３】特開２００４−３２８３７２号公報
【発明の開示】
【発明が解決しようとする課題】
【０００９】
したがって、本発明は上記問題点に鑑みて、他方の携帯端末から一方の携帯端末へ使用者固有情報を受信するという通知があるだけで、スケジュールデータを一方の携帯端末から他方の携帯端末へ勝手に送信する仕組みによる機密性の不足を改善する情報配布規制システム、方法、プログラム及び携帯端末を提供することを目的とする。
【課題を解決するための手段】
【００１０】
本発明は前記問題点を解決するために、基地局を介する情報配布を規制する情報配布規制システムにおいて、送信先リストを保存し、挿入されたＳＩＭカードのＳＩＭ情報を付加した配布情報を保存し、配布情報を受け取りたい旨の依頼の通知を受信し依頼を拒否しない場合には依頼先を前記送信先リストに追加保存し、依頼を拒否する場合には依頼先を前記送信先に追加保存しないように規制し、前記送信先リストに保存された送信先に配布情報を送信する一方の携帯端末と、前記一方の携帯端末のＳＩＭカードのＳＩＭ情報を登録し、前記一方の携帯端末から配布情報を受信し、受信した配布情報及び自己の配布情報を保存し、前記一方の携帯端末に配布情報を受け取りたい旨の依頼の通知を送信し、受信した配布情報に付加された携帯端末のＳＩＭカードのＳＩＭ情報と登録した前記一方の携帯端末のＳＩＭカードのＳＩＭ情報を比較し、合致する場合には前記一方の携帯端末以外の他の携帯端末に配布情報を送信し、合致しない場合には前記一方の携帯端末以外の他の携帯端末に配布情報を送信しないように規制する他方の携帯端末とを備え、前記一方の携帯端末では依頼先を前記送信先リストに追加保存する場合には前記他方の携帯端末に挿入されたＳＩＭカードのＳＩＭ情報を追加保存することを特徴とする情報配布規制システムを提供する。
【００１１】
さらに、挿入されたＳＩＭカードのＳＩＭ情報を付加した前記配布情報はスケジュールを含む。
さらに、本発明は、基地局を介する情報配布を規制する情報配布規制方法において、一方の携帯端末の送信先リストを保存し、前記一方の携帯端末に挿入されたＳＩＭカードのＳＩＭ情報を付加した配布情報を保存する工程と、前記一方の携帯端末のＳＩＭカードのＳＩＭ情報を他方の携帯端末に登録する工程と、前記一方の携帯端末から前記他方の携帯端末に配布情報を受信し、受信した配布情報及び自己の配布情報を保存する工程と、受信した配布情報に付加された携帯端末のＳＩＭカードのＳＩＭ情報と登録した前記一方の携帯端末のＳＩＭカードのＳＩＭ情報を比較し、合致する場合には前記一方の携帯端末以外の他の携帯端末に配布情報を送信し、合致しない場合には前記一方の携帯端末以外の他の携帯端末に配布情報を送信しないように規制する工程と、前記他方の携帯端末から前記一方の携帯端末に配布情報を受け取りたい旨の依頼通知を送信する工程と、前記一方の携帯端末では、配布情報を受け取りたい旨の依頼の通知を受信し依頼を拒否しない場合に依頼先として前記他方の携帯端末のＳＩＭカードのＳＩＭ情報を前記送信先リストに追加保存し、依頼を拒否する場合に依頼先を前記送信先に追加保存しないように規制する工程とを備えることを特徴とする情報配布規制方法を提供する。
【００１２】
さらに、挿入されたＳＩＭカードのＳＩＭ情報を付加した前記配布情報はスケジュールを含む。
さらに、本発明は、基地局を介する情報配布を規制する情報配布規制プログラムにおいて、一方の携帯端末の送信先リストを保存し、前記一方の携帯端末に挿入されたＳＩＭカードのＳＩＭ情報を付加した配布情報を保存する手順と、前記一方の携帯端末のＳＩＭカードのＳＩＭ情報を他方の携帯端末に登録する手順と、前記一方の携帯端末から前記他方の携帯端末に配布情報を受信し、受信した配布情報及び自己の配布情報を保存する手順と、受信した配布情報に付加された携帯端末のＳＩＭカードのＳＩＭ情報と登録した前記一方の携帯端末のＳＩＭカードのＳＩＭ情報を比較し、合致する場合には前記一方の携帯端末以外の他の携帯端末に配布情報を送信し、合致しない場合には前記一方の携帯端末以外の他の携帯端末に配布情報を送信しないように規制する手順と、前記他方の携帯端末から前記一方の携帯端末に配布情報を受け取りたい旨の依頼通知を送信する手順と、前記一方の携帯端末では、配布情報を受け取りたい旨の依頼の通知を受信し依頼を拒否しない場合に依頼先として前記他方の携帯端末のＳＩＭカードのＳＩＭ情報を前記送信先リストに追加保存し、依頼を拒否する場合に依頼先を前記送信先に追加保存しないように規制する手順とを備えることを特徴とする情報配布規制プログラムを提供する。
【００１３】
さらに、挿入されたＳＩＭカードのＳＩＭ情報を付加した前記配布情報はスケジュールを含む。
さらに、本発明は、基地局を介する情報配布を規制する携帯端末において、一方の携帯端末から他方の携帯端末に配布情報を送信するために前記他方の携帯端末に挿入されたＳＩＭカードのＳＩＭ情報を送信先リストとして保存し、配布情報を受け取りたい旨の依頼の通知を受信し依頼を拒否しない場合には依頼先を前記送信先リストに追加保存し、依頼を拒否する場合には依頼先を前記送信先に追加保存しないように規制する送信先リストメモリと、前記一方の携帯端末から前記他の携帯端末に受信した配布情報を保存し、さらに、前記他の携帯端末の自己の配布情報を保存する情報データ管理メモリと、前記他方の携帯端末では前記一方の携帯端末のＳＩＭカードのＳＩＭ情報を登録し、前記一方の携帯端末から前記他の携帯端末に送信される配布情報に前記一方の携帯端末のＳＩＭカードのＳＩＭ情報を付加し、前記情報データ管理メモリに保存される前記他の携帯端末の情報に前記他の携帯端末のＳＩＭカードのＳＩＭ情報を付加し、前記他の携帯端末から前記一方の携帯端末に配布情報を受け取りたい旨の依頼の通知を送信し、配布情報を受け取りたい旨の依頼の通知を受信し依頼を拒否しない場合には依頼先を前記送信先リストメモリに追加保存し、依頼を拒否する場合には依頼先を前記送信先として追加保存しないように規制し、受信した配布情報に付加された携帯端末のＳＩＭカードのＳＩＭ情報と登録した前記一方の携帯端末のＳＩＭカードのＳＩＭ情報を比較し、合致する場合には前記一方の携帯端末以外の他の携帯端末に配布情報を送信し、合致しない場合には前記一方の携帯端末以外の他の携帯端末に配布情報を送信しないように規制する情報配布規制部とを備えることを特徴とする携帯端末を提供する。
さらに、挿入されたＳＩＭカードのＳＩＭ情報を付加した前記配布情報はスケジュールを含む。
【発明の効果】
【００１４】
以上説明したように、本発明によれば、一方の携帯端末の送信先リストを保存し、一方の携帯端末に挿入されたＳＩＭカードのＳＩＭ情報を付加した配布情報を保存し、一方の携帯端末のＳＩＭカードのＳＩＭ情報を他方の携帯端末に登録し、一方の携帯端末から他方の携帯端末に配布情報を受信し、受信した配布情報及び自己の配布情報を保存し、受信した配布情報に付加された携帯端末のＳＩＭカードのＳＩＭ情報と登録した一方の携帯端末のＳＩＭカードのＳＩＭ情報を比較し、合致する場合には一方の携帯端末以外の他の携帯端末に配布情報を送信し、合致しない場合には一方の携帯端末以外の他の携帯端末に配布情報を送信しないように規制し、他方の携帯端末から一方の携帯端末に配布情報を受け取りたい旨の依頼通知を送信し、一方の携帯端末では、配布情報を受け取りたい旨の依頼の通知を受信し依頼を拒否しない場合に依頼先として他方の携帯端末のＳＩＭカードのＳＩＭ情報を送信先リストに追加保存し、依頼を拒否する場合に依頼先を送信先に追加保存しないように規制するようにしたので、個人情報漏洩を防ぐことができ、スケジュールデータに二次配布不可のためのＳＩＭ情報を付加でき、誰のスケジュールかを一意に特定でき、第３者へ渡った際にも送信を制御することができ、ＳＩＭ情報を事前に通知させることでスケジュールを受け取りたい送信先をリスト化できると共に、スケジュールを受け取りたい旨の全ての依頼通知を拒否することを可能とし、スケジュールデータを一方の携帯端末から他方の携帯端末へ勝手に送信する仕組みによる機密性の不足を改善し、自動送信でも送信側で誰に送るかを制御することが可能になる。
【発明を実施するための最良の形態】
【００１５】
以下、本発明の実施の形態について図面を参照して説明する。
図１は本発明に係るスケジュール配布規制システムの概略構成を示す図である。本図に示すように、スケジュール配布規制システム１００は基地局１４０を介して、相互に通話、通信を行う複数の携帯電話１０１、１０２、１０３、…の各々が一方から他方にスケジュールを配布する際にスケジュール配布規制の動作をプログラムで実行する。
【００１６】
複数の携帯電話１０１、１０２、１０３、…にはＳＩＭ（Ｓｕｂｓｃｒｉｂｅｒ  Ｉｄｅｎｔｙ  Ｍｏｄｕｌｅ）カード１３１、１３２、１３３、…がそれぞれ挿入され、ＳＩＭカード１３１、１３２、１３３、…は電話番号などを含むＳＩＭ情報を登録するＩＣカードであり、携帯電話１０１、１０２、１０３、…の各々に内蔵される。
具体的には、ＳＩＭカード１３１、１３２、１３３、…の各々は、他の一般的なＩＣカードと同様にクレジットカードサイズで発行されるが、ＩＣチップの部分（台形形状）だけを切り離して使用するようになっている。
【００１７】
さらに、ＳＩＭカード１３１、１３２、１３３、…の各々にはＩＭＳ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）と呼ばれる固有の番号が付与されており、このＩＭＳと携帯電話１０１、１０２、１０３、…の各々の電話番号とを結びつけることにより、他の携帯電話との通信を可能とするようになっている。
【００１８】
このＳＩＭカード１３１、１３２、１３３、…の各々を携帯電話１０１、１０２、１０３、…の各々から抜き差しすることで、電話番号を他の携帯電話に移したり、１つの携帯電話で複数の電話番号を切り替えて使用したりすることができる。
但し、ＳＩＭカード１３１、１３２、１３３、…の各々は頻繁に抜き差しすることを想定したものではなく、抜き差しの前に確実に電源を切るために携帯電話の電源をオフにする必要がある。そのため、多くの携帯電話では、バッテリーを取り外さないとＳＩＭカード１３１、１３２、１３３、…の各々を抜き差しできない構造となっている。
【００１９】
このようなＳＩＭカード１３１、１３２、１３３、…の各々を有する構造と同一の構造の携帯電話１０１、１０２、１０３、…の各々が基地局１４０を介して通信データ、メールデータ、画像データ等が中継されるようになっている。
図２は図１における携帯電話１０１、１０２、１０３、…の各々の概略構成を示すブロック図である。本図に示すように、携帯電話１０１、１０２、１０３、…の各々には主にアンテナ１１１と、電波を受発信する無線高周波部１１２と、音声信号を処理し、通信手順の制御を行うベースバンド部１１９で構成されている。
【００２０】
無線高周波部１１２は受信アナログ部１１３と、送受信切替スイッチ１１４と、送信アナログ部１１５とで構成されている。
受信アナログ部１１３は、主に局部発振回路、ＬＮＡ（Ｌｏｗ  Ｎｏｉｓｅ  Ａｍｐｌｉｆｉｅｒ：低雑音増幅器）、及びミキサ、ＩＦ（中間周波数）アンプで構成されている。
送信アナログ部１１５は、主にＩＦ変調、ミキサ、パワーアンプで構成されている。
【００２１】
ベースバンド部１１９はＣＰＵ（Ｃｅｎｔｒａｌ  Ｐｒｏｃｅｓｓｉｎｇ  Ｕｎｉｔ：中央演算処理装置）１２０、ＤＳＰ（Ｄｉｇｉｔａｌ  Ｓｉｇｎａｌ  Ｐｒｏｃｅｓｓｏｒ）１２１、モデム１２２、ＡＤ／ＤＡコンバータ１２３で構成されている。
ＣＰＵ１２０は携帯電話１０１、１０２、１０３、…の各々の全体制御を行い、特に、スケジュールの配布制御を行うと共に、スケジュール配布規制部１２０Ａを有し、スケジュール配布規制部１２０Ａは二次配布不可のスケジュールデータを受け渡すことによりスケジュールデータの配布を規制する。
【００２２】
ベースバンド部１１９には画像処理部１１８、メモリ１２４、スピーカ１２７、マイクロフォン１２８、キー１２９、及びＳＩＭカード１３１、１３２、１３３、…の各々が接続されている。
画像処理部１１８にはカメラ１１６及びＬＣＤ（液晶表示部）１１７が接続されている。
【００２３】
フラッシュメモリ、ＳＲＡＭからなるメモリ１２４には携帯電話１０１、１０２、１０３、…の各々を制御するプログラム、データが格納され、特に、本発明のためのスケジュール配布規制システムを動作させるプログラムが格納され、さらに、本発明のために送信先リストメモリ１２４Ａ及びスケジュールデータ管理メモリ１２４Ｂが設けられる。
送信先リストメモリ１２４Ａは一方の携帯電話から他方の携帯電話にスケジュール送信を行う場合、一方の携帯電話ではスケジュール送信を受け入れた他の携帯電話に挿入されたＳＩＭカードのＳＩＭ情報を送信先リストとして保存する。
【００２４】
スケジュールデータ管理メモリ１２４Ｂは他方の携帯電話で受け取った一方の携帯電話のスケジュールデータ、他方の携帯電話の自己のスケジュールデータを保存する。後述するように、他の携帯電話で受け取ったスケジュールデータには一方の携帯電話のＳＩＭカードのＳＩＭ情報が付加されており、他方の携帯電話の自己のスケジュールデータには自己のＳＩＭカードのＳＩＭ情報が付加されている。
【００２５】
キー１２９の操作により、ＬＣＤ１１７にスケジュール配布規制システムの機能が表示され、関連する各種の操作が行われる。
図３は図１におけるスケジュール配布規制システム１００の実施例の概念図である。本図に示すように、（１）他方の携帯電話１０２では一方の携帯電話１０１に挿入されるＳＩＭカード１３１のＳＩＭ情報を登録する。
【００２６】
（２）他方の携帯電話１０２から一方の携帯電話１０１に対して一方の携帯電話１０１のスケジュールを受け取りたい旨の依頼を行う。
（３）一方の携帯電話１０１では、他方の携帯電話１０２からの依頼に対して、以後スケジュールを送信するか否かの決定を行う。
（４）一方の携帯電話１０１では、他方の携帯電話１０２へスケジュールの送信すると決定した場合には送信先リストメモリ１２４Ａに対して、送信先として、他方の携帯電話１０２のＳＩＭカード１３２のＳＩＭ情報を追加保存する。
【００２７】
一方の携帯電話１０１では更新されたスケジュールにＳＩＭカード１３１のＳＩＭ情報を付加する。
（５）一方の携帯電話１０１では更新されたスケジュールを送信先リストメモリ１２４Ａに保存された送信先リスト中の宛先にメールで自動送信する。
（６）他方の携帯電話１０２では、送信されたスケジュールデータをスケジュールデータ更新メモリ１２４Ｂに保存し、最新情報に更新する。
【００２８】
（７）他方の携帯電話１０２では、送信されたスケジュールデータに付加されたＳＩＭカード１３１のＳＩＭ情報と他方の携帯電話のＳＩＭカード１３２のＳＩＭ情報とを比較し、合致しない場合には他方の携帯電話１０２から第３者の他の携帯電話１０３にＳＩＭカード１３１のＳＩＭ情報が付加されたスケジュールデータを第３者の他の携帯電話１０３に送信が不可能となる。
【００２９】
図４は図３における一方の携帯電話１０１のスケジュール配布規制部１２０Ａの動作例を説明するフローチャートである。本図に示すように、ステップＳ２０１において、一方の携帯電話１０１のキー１２９の操作により事前に他方の携帯電話１０２からスケジュールを受け取りたい旨の全ての依頼通知を拒否すべきか否かの設定が行われる。
ステップＳ２０２において、一方の携帯電話１０１のキー１２９の操作により事前に他方の携帯電話１０２から以後のスケジュール送信を受け入れるか否かの設定を行う。
【００３０】
ステップＳ２０３において、一方の携帯電話１０１のスケジュール配布規制部１２０Ａでは、他方の携帯電話１０２からスケジュールを受け取りたい旨の全ての依頼通知を拒否すべきか否かの判断を行う。拒否する設定を行う場合にはステップＳ２０６に進む。すなわち、拒否する設定を行った場合には送信先リストメモリ１２４Ａへ他方の携帯電話１０２のＳＩＭカード１３２のＳＩＭ情報を追加保存しない。
【００３１】
ステップＳ２０４において、拒否する設定を行わない場合には一方の携帯電話１０１のスケジュール配布規制部１２０Ａでは、他方の携帯電話１０２からスケジュール送信を受け入れるか否かを判断する。受け入れない場合にはステップＳ２０６に進む。
ステップＳ２０５において、スケジュール送信を受け入れる場合には一方の携帯電話１０１の送信先リストメモリ１２４Ａへ他方の携帯電話１０２のＳＩＭカード１３２のＳＩＭ情報を送信先として追加保存する。
【００３２】
ステップＳ２０６において、一方の携帯電話１０１のスケジュール配布規制部１２０Ａでは、スケジュール更新を待つ。
ステップＳ２０７において、スケジュールの更新があった場合にはスケジュールに一方の携帯電話１０１のＳＩＭカード１３１のＳＩＭ情報を付加する。
ステップＳ２０８において、一方の携帯電話１０１のスケジュール配布規制部１２０Ａでは、送信先リストメモリ１２４Ａにある宛先へスケジュールの最新データを自動送信する制御を行い、処理を終了する。
【００３３】
図５は図３における他方の携帯電話１０２のスケジュール配布規制部１２０Ａの動作例を説明するフローチャートである。本図に示すように、ステップＳ２１１において、他方の携帯電話１０２のスケジュール配布規制部１２０Ａでは、一方の携帯電話１０１のＳＩＭカード１３１のＳＩＭ情報を他方の携帯電話１０２に登録する。
ステップＳ２１２において、他方の携帯電話１０２のスケジュール配布規制部１２０Ａでは、今後、一方の携帯電話１０１にスケジュールの更新があった際に更新されたスケジュールをメールで受け取りたい旨の依頼通知を行う。
【００３４】
ステップＳ２１３において、他方の携帯電話１０２のスケジュール配布規制部１２０Ａでは、一方の携帯電話１０１からスケジュール受信を制御する。
ステップＳ２１４において、他方の携帯電話１０２のスケジュール配布規制部１２０Ａでは、受信したスケジュールをスケジュールデータデータ管理メモリ１２４Ｂに保存し更新する。
【００３５】
ステップＳ２１５において、他方の携帯電話１０２のスケジュール配布規制部１２０Ａでは、キー１２９から他方の携帯電話１０２から第３者の他の携帯電話１０３への送信操作を待つ。
ステップＳ２１６において、他方の携帯電話１０２のスケジュール配布規制部１２０Ａでは、スケジュールデータデータ管理メモリ１２４Ｂに保存されたスケジュールに付加された携帯電話のＳＩＭカードのＳＩＭ情報と他方の携帯電話１０２のＳＩＭカード１３２のＳＩＭ情報を比較する。
【００３６】
ステップＳ２１７において、上記比較が合致するか否かを判断する。合致する場合にはステップＳ２１９に進む。
ステップＳ２１８において、合致しない場合には他方の携帯電話１０２から第３者の他の携帯電話１０３への送信を不可とし、ステップＳ２１５に戻る。
ステップＳ２１９において、他方の携帯電話１０２から第３者の他の携帯電話１０３へ他方の携帯電話１０２の自己のスケジュール、すなわち、ＳＩＭカード１３２のＳＩＭ情報の付加されたスケジュールデータを送信し、処理を終了する。
【００３７】
したがって、本発明によれば、個人情報漏洩を防ぐことができ、スケジュールデータに二次配布不可のためのＳＩＭ情報を付加でき、誰のスケジュールかを一意に特定でき、第３者へ渡った際にも送信を制御することができ、ＳＩＭ情報を事前に通知させることでスケジュールを受け取りたい送信先をリスト化できると共に、スケジュールを受け取りたい旨の全ての依頼通知を拒否することを可能とし、スケジュールデータを一方の携帯端末から他方の携帯端末へ勝手に送信する仕組みによる機密性の不足を改善し、自動送信でも送信側で誰に送るかを制御することが可能になる。
【産業上の利用可能性】
【００３８】
以上、携帯電話について説明を行ったが、これに限らず、ＰＨＳ（簡易型携帯電話機）、ＰＤＡ（携帯端末装置）を含む携帯端末にも本発明の利用が可能である。さらに、配信情報としてスケジュールについて説明したが、これに限定されず、画像データ、写真データ、映像データ、ゲームデータ、音響データ、宣伝広告資料、ビジネス文書を含む配布情報にも本発明の利用が可能である。
【図面の簡単な説明】
【００３９】
【図１】本発明に係るスケジュール配布規制システムの概略構成を示す図である。
【図２】図１における携帯電話１０１、１０２、１０３、…の各々の概略構成を示すブロック図である。
【図３】図１におけるスケジュール配布規制システム１００の実施例の概念図である。
【図４】図３における一方の携帯電話１０１のスケジュール配布規制部１２０Ａの動作例を説明するフローチャートである。
【図５】図３における他方の携帯電話１０２のスケジュール配布規制部１２０Ａの動作例を説明するフローチャートである。
【図６】本発明の前提となるスケジュール配布規制システムの概念を説明する図である。
【符号の説明】
【００４０】
１０１、１０２、１０３…携帯電話
１１１…アンテナ
１１２…無線高周波部
１１３…受信アナログ部
１１４…送受信切替スイッチ
１１５…送信アナログ部
１１６…カメラ
１１７…ＬＣＤ
１１８…画像処理部
１１９…ベースバンド部
１２０…ＣＰＵ
１２０Ａ…スケジュール配布規制部
１２１…ＤＳＰ
１２２…モデム
１２３…ＡＤＣ／ＤＡＣ
１２４…メモリ
１２４Ａ…送信先リストメモリ
１２４Ｂ…スケジュールデータ管理メモリ
１２７…スピーカ
１２８…マイクロフォン
１２９…キー
１３１、１３２、１３３…ＳＩＭカード
【図１】
2009171267.tif 000003
【図２】
2009171267.tif 000004
【図３】
2009171267.tif 000005
【図４】
2009171267.tif 000006
【図５】
2009171267.tif 000007
【図６】
2009171267.tif 000008